(57)【要約】      （修正有）【課題】うちわを入れやすく不用意に脱落しないようにしたうちわ用ケースを提供する。【解決手段】四角形状の透明性を有する前シート１と四角形状の後シート２の三辺が結合された本体と、本体の三辺とは異なる一辺に形成された開口部３と、開口部３側に設けられ、本体内に収納されるうちわの脱出を防止するための閉鎖部と、を備え、閉鎖部が、前シート１と後シート２の一方に設けられた第１閉鎖部材４０と、前シート１と後シート２の他方に設けられた第２閉鎖部材２０とからなり、第１閉鎖部材４０を開口部３を跨ぐように折り返して第２閉鎖部材２０に対して連結自在に構成した。【選択図】図４
0003214103.tif 000002
【実用新案登録請求の範囲】
【請求項１】
四角形状の透明性を有する前シートと四角形状の後シートの三辺が結合された本体と、
前記本体の前記三辺とは異なる一辺に形成された開口部と、
前記開口部側に設けられ、本体内に収納されるうちわの脱出を防止するための閉鎖部と、を備え、
前記閉鎖部が、前記前シートと後シートの一方に設けられた第１閉鎖部材と、
前記前シートと後シートの他方に設けられた第２閉鎖部材とからなり、第１閉鎖部材を開口部を跨ぐように折り返して第２閉鎖部材に対して連結自在に構成したことを特徴とするうちわ用ケース。
【請求項２】
前記後シートは、第１後シート部材と第２後シート部材の二層構造であり、それらの間に緩衝部材が挿入されていることを特徴とする請求項１に記載のうちわ用ケース。
【請求項３】
第１閉鎖部材は、うちわの柄の左右に位置する一対の帯状の部材であることを特徴とする請求項１又は２に記載のうちわ用ケース。
【請求項４】
前記第１閉鎖部材と第２閉鎖部材は面ファスナーにより形成されることを特徴とする請求項１〜３のいずれか１項に記載のうちわ用ケース。
【請求項５】
前記開口部と反対側の一辺に吊り下げ用のループが取り付けられていることを特徴とする請求項１〜４のいずれか１項に記載のうちわ用ケース。
【考案の詳細な説明】
【技術分野】
【０００１】
本考案は、うちわを収容するためのうちわ用ケースに関する。
【背景技術】
【０００２】
コンサート等のイベントでは、イベントで販売しているうちわを購入することがある。うちわの表面にはイベントに出演するアーティストやキャラクターが描かれていることがあり、表面を傷つけることなく持ち帰り保管したいという要望がある。かかる要望に応えるため下記特許文献に開示される平坦部材収納具がある。
【０００３】
この平坦部材収納具は、前シートと後シートを有し一端側に開放された開口部が形成された本体を備え、本体の一端側と対向する他端側に、本体の内部に連通する連通孔が形成されている。このような収納具にうちわを入れる場合は、本体内部にうちわの柄を先に収納して、柄が連結孔を通るようにする。
【先行技術文献】
【特許文献】
【０００４】
【特許文献１】実用新案登録第３２０９０８１号
【考案の概要】
【考案が解決しようとする課題】
【０００５】
上記の先行技術によれば、うちわの柄を連結孔に合わせるようにして本体内に入れていかなければならないので、柄が連結孔にうまく合わないと引っかかってしまい、うちわを傷つけたりする原因になる。また、開口部にはうちわの脱出を抑える機構がないので、本体をひっくり返すと、うちわが脱落する恐れがある。
【０００６】
本考案は上記実情に鑑みてなされたものであり、その課題は、うちわを入れやすく不用意に脱落しないようにしたうちわ用ケースを提供することである。
【課題を解決するための手段】
【０００７】
上記課題を解決するためのうちわ用ケースは、
四角形状の透明性を有する前シートと四角形状の後シートの三辺が結合された本体と、前記本体の前記三辺とは異なる一辺に形成された開口部と、前記開口部側に設けられ、本体内に収納されるうちわの脱出を防止するための閉鎖部と、を備え、
前記閉鎖部が、前記前シートと後シートの一方に設けられた第１閉鎖部材と、前記前シートと後シートの他方に設けられた第２閉鎖部材とからなり、第１閉鎖部材を開口部を跨ぐように折り返して第２閉鎖部材に対して連結自在に構成したことを特徴とするものである。
【０００８】
かかる構成によるうちわ用ケースの作用・効果を説明する。このうちわ用ケースは四角形状の前シートと後シートにより構成され、四角形の三辺が結合され、残りの一辺が開放されて開口部を構成する。前シートは透明性を有しており、収納されたうちわの表面に形成されたデザイン等を確認することができる。開口部を閉鎖するための閉鎖部が設けられており、第１閉鎖部材と第２閉鎖部材により構成される。第１閉鎖部材は、開口部を跨ぐように折り返されて第２閉鎖部材に連結される。従って、うちわを本体内部に収納した後に、第１閉鎖部材を折り返して第２閉鎖部材に連結すればよい。このように構成すれば、うちわを簡単に挿入することができ、うちわ用ケースを逆さまにしてもうちわが脱落することがない。従って、うちわを入れやすく不用意に脱落しないようにしたうちわ用ケースを提供することができる。
【０００９】
本考案に係る前記後シートは、第１後シート部材と第２後シート部材の二層構造であり、それらの間に緩衝部材が挿入されていることが好ましい。
【００１０】
かかる構成にすることで、本体内部に収納したうちわを適切に保護することができる。
【００１１】
本考案に係る第１閉鎖部材は、うちわの柄の左右に位置する一対の帯状の部材であることが好ましい。
【００１２】
うちわの柄の左右に一対の帯状の部材を設けることで、柄の両側にてうちわが脱落しないように保持することができる。
【００１３】
本考案において、前記第１閉鎖部材と第２閉鎖部材は面ファスナーにより形成されることが好ましい。面ファスナーにより、第１閉鎖部材と第２閉鎖部材を着脱自在に連結させることができる。また、安価に閉鎖部を構成することができる。
【００１４】
本考案において、前記開口部と反対側の一辺に吊り下げ用のループが取り付けられていることが好ましい。これにより、ループを利用して手で持ったり、壁面にかけたりすることができる。
【図面の簡単な説明】
【００１５】
【図１】本実施形態に係るうちわ用ケースの外観構成を示す図
【図２】図１において、うちわを収納したときの外観構成を示す正面図
【図３】図１において、うちわを収納したときの外観構成を示す背面図
【図４】閉鎖部材の構成を示す部分断面図
【考案を実施するための最良の形態】
【００１６】
本考案に係るうちわ用ケースの好適な実施形態を図面を用いて説明する。図１は、うちわ用ケースの外観と、うちわの外観を示す図である。うちわは購入したときは透明の四角形のカバーＡ２に入れられた状態である。図２は、うちわを収納した状態を示す正面図である。うちわは、カバーＡ２にいれたままケースに収納することができる。図３は、うちわを収納した状態を示す背面図である。図４は、閉鎖部材の構成を示す部分断面図である。
【００１７】
うちわ用ケースは、前シート１と後シート２からなる本体を有する。前シート１は、透明性を有しており、内部にうちわを収納したときにうちわ表面のデザインを視認することができる。前シート１は透明樹脂で形成することができるが、特定の素材に限定されるものではない。前シート１と後シート２は、四角形状に形成されており、正方形または長方形とすることができる。カバーＡ２をつけたまま収納できるように四角形にしている。また、完全な四角形でなくてもよく、例えば、コーナーにＲを付けたり面取りをしてもよい。後シート２は、不透明でよく、適宜の繊維物質で形成される。
【００１８】
前シート１と後シート２は、三辺が縫製等により結合されて袋状の本体を構成している。残りの一辺は結合されておらず、開口部３を構成する（図４参照）。この開口部３を介してうちわを収納することができる。前シート１の上縁には帯部１０が設けられている。帯部１０は、前シート１の上縁１に縫製等により結合されている（図４参照）。
【００１９】
図４に示すように、後シート２は、第１後シート部材２０と第２後シート部材２１の二重構造であり、両者は四辺が縫製等により結合されている。また、第１後シート部材２０と第２後シート部材２１の間には、四角形の空間が形成されて、そこに緩衝部材２２としてのスポンジクッションが配置されている。これにより、収納されたうちわを保護することができる。
【００２０】
帯部１０の内側には一対の第１閉鎖部材４０が縫製等により結合されている。図２に示すように、うちわＡを収納したときに柄Ａ１の両側に第１閉鎖部材４０が位置するように設けられている。第１閉鎖部材４０は、幅が２０ｍｍ程度の帯状であり、柔軟性を有し容易に折り曲げが可能である。第１閉鎖部材４０は、片面が面ファスナーにより形成される。
【００２１】
後シート２の開口部３に近い位置にも左右方向に第２閉鎖部材２３が配置されている。第２閉鎖部材２３も、幅２０ｍｍ程度の帯状であり、後シート２に縫製等により結合されている。第２閉鎖部材２３は、第１閉鎖部材４０と同じ素材の面ファスナーで形成することができる。第１閉鎖部材４０と第２閉鎖部材２３は、幅と長さを同じにすることができる。
【００２２】
図３に示すように、第１閉鎖部材４０を後シート２側に折り曲げて、その先端を第２閉鎖部材２３に結合させる。すなわち、第１閉鎖部材４０は、着脱自在に第２閉鎖部材２３に結合させることができる。
【００２３】
図４は、閉鎖部の断面を示している。第１閉鎖部材４０は、開口部３を跨ぐように折り曲げられて、第２閉鎖部材２３に連結される。帯部１０は、前シート１の上縁を挟むようにして縫製されている。
【００２４】
後シート２の下部にループ２４が縫製等により結合されている。ループ２４は、ちょうど指が通るぐらいの大きさを有しており、持ち運ぶ時や壁面に吊り下げる時に利用することができる。
【００２５】
うちわＡを収容するときは、図２のように柄Ａ１が上向きになるようにして本体内に収納し、その後、第１閉鎖部材４０を折り曲げて第２閉鎖部材２３に結合すればよい。本体の姿勢をひっくり返しても、うちわＡが脱落してくることはない。
【００２６】
＜別実施形態＞
本実施形態では、前シート１に第１閉鎖部材４０が結合され、後シート２に第２閉鎖部材２３が結合されているが、これを逆にしてもよい。
【符号の説明】
【００２７】
Ａ          うちわ
Ａ１        柄
Ａ２        カバー
１          前シート
２          後シート
３          開口部
１０        帯部
２０        第１後シート部材
２１        第２後シート部材
２２        緩衝部材
２３        第２閉鎖部材
２４        ループ
４０        第１閉鎖部材
【図１】
0003214103.tif 000003
【図２】
0003214103.tif 000004
【図３】
0003214103.tif 000005
【図４】
0003214103.tif 000006